(57)【要約】【課題】アドレス確定済み室内機と未確定室内機が混在していても、アドレス設定作業をすることなくアドレスを設定し、アドレス重複発生時には重複室内機のみ再設定する。【解決手段】アドレスリセット開始手段１６と、アドレス設定要求信号返信手段１８Ａ〜１８Ｃと、競合負け信号出力手段１９Ａ〜１９Ｃと、アドレス確定手段２０Ａ〜２０Ｃと、アドレス重複信号出力手段２１Ａ〜２１Ｃと、アドレスリセット手段２２Ａ〜２２Ｃとを備え、アドレス確定済み室内機の返信するアドレス設定要求信号の優先順位をアドレス未確定室内機よりも高くしたことにより、アドレス確定済み室内機が先にアドレスを再確定し、その後アドレス未確定室内機が順次アドレスを確定することとなり、また、アドレスが重複してしまった場合には、アドレスリセット開始手段を操作することで、アドレス重複検出中の室内機のみアドレスがリセットされることとなる。【選択図】図１
2008180403.tif 000002
【特許請求の範囲】
【請求項１】
１台の室外機と複数台の室内機が１対の通信線で接続された空気調和機において、室外機に設けられ室内機にアドレス設定開始信号を送信するアドレス設定開始信号送信手段と、室内機に設けられ室外機からアドレス設定開始信号を受信すると任意のデータを含むアドレス設定要求信号を返信するアドレス設定要求信号返信手段と、室内機に設けられ返信したアドレス設定要求信号の優先順位が他の室内機から同時に返信されたアドレス設定要求信号の優先順位よりも低い場合に競合負け信号を出力する競合負け信号出力手段と、室外機に設けられ室内機からアドレス設定要求信号を受信するとアドレス確定信号を返信するアドレス確定信号返信手段と、室内機に設けられ前記競合負け信号出力手段から競合負け信号が出力されていない状態で室外機からアドレス確定信号を受信するとアドレスを確定するアドレス確定手段と、室内機に設けられ確定したアドレスが他の室内機のアドレスと重複していることを検出するとアドレス重複信号を出力するアドレス重複信号出力手段と、室外機に設けられアドレスリセット開始信号を出力するアドレスリセット開始手段と、室外機に設けられ前記アドレスリセット開始手段からアドレスリセット開始信号が出力されると室内機にアドレスリセット信号を送信するアドレスリセット信号送信手段と、室内機に設けられ前記アドレス重複信号出力手段からアドレス重複信号が出力されている状態で室外機からアドレスリセット信号を受信すると確定済みアドレスをリセットしてアドレス未確定状態に戻すアドレスリセット手段とを備え、アドレス確定済み室内機の返信するアドレス設定要求信号の優先順位はアドレスの値によって決定し、アドレス未確定室内機の返信するアドレス設定要求信号の優先順位よりも高くしたことを特徴とする空気調和機のアドレス設定装置。
【発明の詳細な説明】
【技術分野】
【０００１】
本発明は、１台の室外機と複数台の室内機が１対の通信線で接続された空気調和機のアドレス設定装置に関するものである。
【背景技術】
【０００２】
従来、この種の空気調和機のアドレス設定装置としては、空気調和機の設置時に工事者が基板上のディップスイッチによりアドレスを設定するものがあった（例えば、特許文献１参照）。図４は特許文献１に記載された従来の空気調和機のアドレス設定装置の構成を示すものである。図４において、複数台の室内機３１Ａ〜３１Ｃは室外機３２と１対の通信線３３で接続され、アドレスはディップスイッチ３４Ａ〜３４Ｃで設定される。
【特許文献１】特開平２−８５６４３号公報
【発明の開示】
【発明が解決しようとする課題】
【０００３】
しかしながら、前記従来の構成では、空気調和機設置時にアドレス設定作業が必要であり、アドレス設定を誤った場合は正常に動作しないという課題を有していた。また、室内機増設時には既設の室内機と重複させずにアドレス設定をする必要があった。
【０００４】
本発明は、上記従来の課題を解決するもので、アドレス確定済み室内機と未確定室内機が混在していても、室外機と複数台の室内機を１対の通信線で接続するだけで、アドレス設定作業をすることなくアドレスを設定することができ、アドレス重複発生時にはアドレスが重複している室内機のみのアドレスを再設定することができる空気調和機のアドレス設定装置の提供を目的とする。
【課題を解決するための手段】
【０００５】
前記従来の課題を解決するために、本発明の空気調和機のアドレス設定装置は、室外機に設けられ室内機にアドレス設定開始信号を送信するアドレス設定開始信号送信手段と、室内機に設けられ室外機からアドレス設定開始信号を受信すると任意のデータを含むアドレス設定要求信号を返信するアドレス設定要求信号返信手段と、室内機に設けられ返信したアドレス設定要求信号の優先順位が他の室内機から同時に返信されたアドレス設定要求信号の優先順位よりも低い場合に競合負け信号を出力する競合負け信号出力手段と、室外機に設けられ室内機からアドレス設定要求信号を受信するとアドレス確定信号を返信するアドレス確定信号返信手段と、室内機に設けられ競合負け信号出力手段から競合負け信号が出力されていない状態で室外機からアドレス確定信号を受信するとアドレスを確定するアドレス確定手段と、室内機に設けられ確定したアドレスが他の室内機のアドレスと重複していることを検出するとアドレス重複信号を出力するアドレス重複信号出力手段と、室外機に設けられアドレスリセット開始信号を出力するアドレスリセット開始手段と、室外機に設けられアドレスリセット開始手段からアドレスリセット開始信号が出力されると室内機にアドレスリセット信号を送信するアドレスリセット信号送信手段と、室内機に設けられアドレス重複信号出力手段からアドレス重複信号が出力されている状態で室外機からアドレスリセット信号を受信すると確定済みアドレスをリセットしてアドレス未確定状態に戻すアドレスリセット手段とを設け、アドレス確定済み室内機の返信するアドレス設定要求信号の優先順位はアドレスの値によって決定しアドレス未確定室内機の返信するアドレス設定要求信号の優先順位よりも高くしたものである。
【０００６】
これによって、室外機がアドレス設定開始信号を送信すると、通信線に接続された複数台の室内機がアドレス設定要求信号の送信を開始し、まずアドレス確定済み室内機がアド
レスの順番にアドレス確定信号を受信してアドレスを再度確定し、その後アドレス未確定室内機が順次アドレス確定信号を受信してアドレスを確定することとなり、また、アドレス重複発生時にアドレスリセット開始手段を操作すると、室外機がアドレスリセット信号を送信し、アドレス重複検出中の室内機のみアドレスがリセットされることとなる。
【発明の効果】
【０００７】
本発明の空気調和機のアドレス設定装置は、アドレス確定済み室内機と未確定室内機が混在していても、室外機と複数台の室内機を１対の通信線で接続するだけで、アドレス設定作業をすることなくアドレスを設定することができ、アドレス重複発生時にはアドレスが重複している室内機のみのアドレスを再設定することができる。
【発明を実施するための最良の形態】
【０００８】
本発明は、１台の室外機と複数台の室内機が１対の通信線で接続された空気調和機において、室外機に設けられ室内機にアドレス設定開始信号を送信するアドレス設定開始信号送信手段と、室内機に設けられ室外機からアドレス設定開始信号を受信すると任意のデータを含むアドレス設定要求信号を返信するアドレス設定要求信号返信手段と、室内機に設けられ返信したアドレス設定要求信号の優先順位が他の室内機から同時に返信されたアドレス設定要求信号の優先順位よりも低い場合に競合負け信号を出力する競合負け信号出力手段と、室外機に設けられ室内機からアドレス設定要求信号を受信するとアドレス確定信号を返信するアドレス確定信号返信手段と、室内機に設けられ競合負け信号出力手段から競合負け信号が出力されていない状態で室外機からアドレス確定信号を受信するとアドレスを確定するアドレス確定手段と、室内機に設けられ確定したアドレスが他の室内機のアドレスと重複していることを検出するとアドレス重複信号を出力するアドレス重複信号出力手段と、室外機に設けられアドレスリセット開始信号を出力するアドレスリセット開始手段と、室外機に設けられアドレスリセット開始手段からアドレスリセット開始信号が出力されると室内機にアドレスリセット信号を送信するアドレスリセット信号送信手段と、室内機に設けられアドレス重複信号出力手段からアドレス重複信号が出力されている状態で室外機からアドレスリセット信号を受信すると確定済みアドレスをリセットしてアドレス未確定状態に戻すアドレスリセット手段とを備え、アドレス確定済み室内機の返信するアドレス設定要求信号の優先順位はアドレスの値によって決定しアドレス未確定室内機の返信するアドレス設定要求信号の優先順位よりも高くする。
【０００９】
これにより、室外機がアドレス設定開始信号を送信すると、通信線に接続された複数台の室内機がアドレス設定要求信号の送信を開始し、まずアドレス確定済み室内機がアドレスの順番にアドレス確定信号を受信してアドレスを再度確定し、その後アドレス未確定室内機が順次アドレス確定信号を受信してアドレスを確定することとなり、アドレス確定済み室内機と未確定室内機が混在していても、室外機と複数台の室内機を１対の通信線で接続するだけで、アドレス設定作業をすることなくアドレスを設定することができ、また、アドレス重複発生時にアドレスリセット開始手段を操作すると、室外機がアドレスリセット信号を送信し、アドレス重複検出中の室内機のみアドレスがリセットされることとなり、アドレスが重複している室内機のみのアドレスを再設定することができる。
【００１０】
以下、本発明の実施の形態について、図面を参照しながら説明する。なお、本実施の形態によって本発明が限定されるものではない。
【００１１】
（実施の形態１）
図１は、本発明の実施の形態１における空気調和機のアドレス設定装置の構成を示すブロック図である。
【００１２】
図１において、１１Ａ〜１１Ｃは室内機、１２は室外機、１３は複数台の室内機１１Ａ
〜１１Ｃと室外機１２を接続する１対の通信線、１４は室内機１１Ａ〜１１Ｃにアドレス設定開始信号を送信するアドレス設定開始信号送信手段、１５はアドレス設定要求信号を送信した室内機にアドレス確定信号を返信するアドレス確定信号返信手段、１６はアドレスリセット開始信号を出力するアドレスリセット開始手段、１７はアドレスリセット開始信号の入力により室内機１１Ａ〜１１Ｃにアドレスリセット信号を送信するアドレスリセット信号送信手段、１８Ａ〜１８Ｃはアドレス設定開始信号の受信により任意のデータを含むアドレス設定要求信号を返信するアドレス設定要求信号返信手段であり、アドレス確定済み室内機の返信するアドレス設定要求信号の優先順位はアドレスの値によって決定し、アドレス未確定室内機の返信するアドレス設定要求信号の優先順位よりも高く設定される。
【００１３】
また、１９Ａ〜１９Ｃはアドレス設定要求信号返信手段１８Ａ〜１８Ｃから返信したアドレス設定要求信号の優先順位が他の室内機のアドレス設定要求信号返信手段から同時に返信されたアドレス設定要求信号の優先順位よりも低い場合に競合負け信号を出力する競合負け信号出力手段、２０Ａ〜２０Ｃは競合負け信号出力手段１９Ａ〜１９Ｃから競合負け信号が出力されていない状態でのアドレス確定信号の受信によりアドレスを確定するアドレス確定手段、２１Ａ〜２１Ｃは確定したアドレスが他の室内機のアドレスと重複していることを検出するとアドレス重複信号を出力するアドレス重複信号出力手段、２２Ａ〜２２Ｃはアドレス重複信号出力手段２１Ａ〜２１Ｃからアドレス重複信号が出力されている状態でのアドレスリセット信号の受信により確定済みアドレスをリセットしてアドレス未確定状態に戻すアドレスリセット手段である。
【００１４】
以上のように構成された空気調和機のアドレス設定装置について、以下その動作、作用を図２及び図３のフローチャートを参照しながら説明する。
【００１５】
まず、室内機１１Ａ〜１１ＣはステップＩ１でアドレス設定開始信号の受信を待つ。そして、室外機１２がステップＯ１でアドレス設定開始信号を送信すると、室内機１１Ａ〜１１ＣはステップＩ１からステップＩ２に進んでアドレス設定要求信号の送信を開始し、ステップＩ３で自己の送信したアドレス設定要求信号と他の室内機が送信したアドレス設定要求信号の優先順位を比較する。このとき、例えば、室内機１１Ａのアドレスが確定済みで、１１Ｂ，１１Ｃのアドレスが未確定であったとすれば、１１Ａの送信するアドレス設定要求信号の優先順位が最も高いため、室内機１１ＡのみがステップＩ４からステップＩ５に進んでアドレス設定要求信号の送信を完了し、ステップＩ６でアドレス確定信号の受信を待つ。
【００１６】
また、室内機１１Ｂ，１１ＣはステップＩ４からステップＩ７に進んで競合負け信号を出力してステップＩ８でアドレス設定要求信号の送信を中断し、ステップＩ２に戻る。一方、室外機１２はステップＯ２でアドレス設定要求信号を待機中に、室内機１１Ａが送信したアドレス設定要求信号を受信することになるので、ステップＯ３に進んでアドレス確定信号を送信する。これにより、室内機１１ＡはステップＩ６からステップＩ９に進んでアドレスが確定し、ステップＩ１０でアドレスリセット信号の受信待機状態となる。また、室外機１２はステップＯ４で接続可能台数分のアドレス確定信号の送信が終了していないためステップＯ２に戻る。
【００１７】
その後、ステップＩ２に戻った室内機１１Ｂ，１１Ｃと、ステップＯ２に戻った室外機１２が一連の動作を繰返すことで、室内機１１Ｂ，１１Ｃは室内機１１Ａと同様にアドレス設定要求信号の優先順位が高い順にステップＩ９まで進んでアドレスが確定し、ステップＩ１０でアドレスリセット信号の受信待機状態となり、室外機１２はステップＯ４で接続可能台数分のアドレス確定信号の送信を完了するかステップＯ５で所定の時間が経過するかによりステップＯ６でアドレスリセットＳＷの入力待機状態となる。
【００１８】
次に、この状態で室外機１２にアドレスリセットＳＷの入力があった場合は、室外機１２はステップＯ７に進んでアドレスリセット信号を送信し、ステップＯ１に戻る。一方、室内機１１Ａ〜１１Ｃはアドレスリセット信号を受信してステップＩ１１に進み、アドレス重複検出中でない場合はアドレス確定済み状態のままでステップＩ１に戻り、アドレス重複検出中である場合はステップＩ１２でアドレスをリセットしてアドレス未確定状態となった後にステップＩ１に戻る。
【００１９】
以上のように、本実施の形態においては、室内機１１Ａ〜１１Ｃにアドレス設定開始信号を送信するアドレス設定開始信号送信手段１４と、アドレス設定要求信号を送信した室内機にアドレス確定信号を返信するアドレス確定信号返信手段１５と、アドレスリセット開始信号を出力するアドレスリセット開始手段１６と、アドレスリセット開始信号の入力により室内機１１Ａ〜１１Ｃにアドレスリセット信号を送信するアドレスリセット信号送信手段１７と、アドレス設定開始信号の受信により任意のデータを含むアドレス設定要求信号を返信するアドレス設定要求信号返信手段１８Ａ〜１８Ｃと、アドレス設定要求信号返信手段１８Ａ〜１８Ｃから返信したアドレス設定要求信号の優先順位が他の室内機のアドレス設定要求信号返信手段から同時に返信されたアドレス設定要求信号の優先順位よりも低い場合に競合負け信号を出力する競合負け信号出力手段１９Ａ〜１９Ｃと、競合負け信号出力手段１９Ａ〜１９Ｃから競合負け信号が出力されていない状態でのアドレス確定信号の受信によりアドレスを確定するアドレス確定手段２０Ａ〜２０Ｃと、確定したアドレスが他の室内機のアドレスと重複していることを検出するとアドレス重複信号を出力するアドレス重複信号出力手段２１Ａ〜２１Ｃと、アドレス重複信号出力手段２１Ａ〜２１Ｃからアドレス重複信号が出力されている状態でのアドレスリセット信号の受信により確定済みアドレスをリセットしてアドレス未確定状態に戻すアドレスリセット手段２２Ａ〜２２Ｃとを備え、アドレス確定済み室内機の返信するアドレス設定要求信号の優先順位はアドレスの値によって決定しアドレス未確定室内機の返信するアドレス設定要求信号の優先順位よりも高くする。
【００２０】
これにより、室外機がアドレス設定開始信号を送信すると、通信線に接続された複数台の室内機がアドレス設定要求信号の送信を開始し、まずアドレス確定済み室内機がアドレスの順番にアドレス確定信号を受信してアドレスを再度確定し、その後アドレス未確定室内機が順次アドレス確定信号を受信してアドレスを確定することとなり、アドレス確定済み室内機と未確定室内機が混在していても、室外機と複数台の室内機を１対の通信線で接続するだけで、アドレス設定作業をすることなくアドレスを設定することができる。
【００２１】
また、２台以上の室内機から同じ値の任意データを含んだアドレス設定要求信号が返信されたことにより確定したアドレスが重複してしまった場合は、アドレスリセット開始手段を操作することで、室外機がアドレスリセット信号を送信し、アドレス重複検出中の室内機のみアドレスがリセットされることとなり、アドレスが重複している室内機のみのアドレスを再設定することができる。
【産業上の利用可能性】
【００２２】
以上のように、本発明にかかる空気調和機のアドレス設定装置は、アドレス確定済み室内機と未確定室内機が混在していても、室外機と複数台の室内機を１対の通信線で接続するだけで、アドレス設定作業をすることなくアドレスを設定することが可能となり、また、アドレス重複発生時にはアドレスが重複している室内機のみのアドレスを再設定することが可能となるので、複数台の室内機を１台のワイヤードリモコンに接続して制御する１リモコングループ制御における通信アドレスの自動設定等の用途にも適用できる。
【図面の簡単な説明】
【００２３】
【図１】本発明の実施の形態１における空気調和機のアドレス設定装置の構成を示すブロック図
【図２】本発明の実施の形態１における空気調和機のアドレス設定装置の動作、作用を示すフローチャート
【図３】同上、続きのフローチャート
【図４】従来の空気調和機のアドレス設定装置の構成を示すブロック図
【符号の説明】
【００２４】
１１Ａ〜１１Ｃ  室内機
１２  室外機
１３  通信線
１４  アドレス設定開始信号送信手段
１５  アドレス確定信号返信手段
１６  アドレスリセット開始手段
１７  アドレスリセット信号送信手段
１８Ａ〜１８Ｃ  アドレス設定要求信号返信手段
１９Ａ〜１９Ｃ  競合負け信号出力手段
２０Ａ〜２０Ｃ  アドレス確定手段
２１Ａ〜２１Ｃ  アドレス重複信号出力手段
２２Ａ〜２２Ｃ  アドレスリセット手段
【図１】
2008180403.tif 000003
【図２】
2008180403.tif 000004
【図３】
2008180403.tif 000005
【図４】
2008180403.tif 000006